(57)【特許請求の範囲】
【請求項１】
二酸化炭素を含有する二酸化炭素含有ガスから固体の二酸化炭素捕捉材を用いて二酸化炭素を捕捉分離する二酸化炭素回収システムにおいて、
固体の捕捉材を収容する容器と、前記容器を形成する壁部材の内部に前記捕捉材を冷却する冷却媒体を流下する第１の冷却手段となる冷却配管を配設し、前記冷却配管に冷却媒体を流通させて前記容器に収容された前記捕捉材の温度の上昇を抑制するように構成し、
固体の捕捉材を収容する前記容器の壁部材の内部にそれぞれ配設された第１の冷却手段を構成する冷却配管は、パラレル状に配設された複数の水平配管と、複数の垂直配管とから構成され、
前記複数の水平配管がそれぞれ流量調節手段を備えていることを特徴とする二酸化炭素回収システム。
【請求項２】
二酸化炭素を含有する二酸化炭素含有ガスから固体の二酸化炭素捕捉材を用いて二酸化炭素を捕捉分離する二酸化炭素回収システムにおいて、
固体の捕捉材を収容する容器と、前記容器を形成する壁部材の内部に前記捕捉材を冷却する冷却媒体を流下する第１の冷却手段となる冷却配管を配設し、前記冷却配管に冷却媒体を流通させて前記容器に収容された前記捕捉材の温度の上昇を抑制するように構成し、
固体の捕捉材を収容する容器は前記捕捉材に二酸化炭素含有ガスが流れる第１の容器と、前記捕捉材に水蒸気ガスが流れる第２の容器との複数個配設し、前記複数個配設された各容器の壁部材の内部に配設される第１の冷却手段を構成する冷却配管はパラレル状に配設された複数の水平配管を備えており、これらの複数の水平配管を備えた前記冷却配管が前記第１の容器と第２の容器に亘って共通した冷却配管として配設するように構成され、
前記複数の水平配管がそれぞれ流量調節手段を備えていることを特徴とする二酸化炭素回収システム。
【請求項３】
二酸化炭素を含有する二酸化炭素含有ガスから固体の二酸化炭素捕捉材を用いて二酸化炭素を捕捉分離する二酸化炭素回収システムにおいて、
固体の捕捉材を収容する容器と、前記容器を形成する壁部材の内部に前記捕捉材を冷却する冷却媒体を流下する第１の冷却手段となる冷却配管を配設し、前記容器の壁部材の内部に配設された第１の冷却手段に冷却媒体を供給する流路の上流側に該冷却媒体を冷却する第２の冷却手段を配設し、前記容器に収容された前記捕捉材の温度の上昇を抑制するように構成し、
固体の捕捉材を収容する前記容器の壁部材の内部にそれぞれ配設された第１の冷却手段を構成する冷却配管は、パラレル状に配設された複数の水平配管と、複数の垂直配管とから構成され、
前記複数の水平配管がそれぞれ流量調節手段を備えていることを特徴とする二酸化炭素回収システム。
【請求項４】
二酸化炭素を含有する二酸化炭素含有ガスから固体の二酸化炭素捕捉材を用いて二酸化炭素を捕捉分離する二酸化炭素回収システムにおいて、
固体の捕捉材を収容する容器と、前記容器を形成する壁部材の内部に前記捕捉材を冷却する冷却媒体を流下する第１の冷却手段となる冷却配管を配設し、前記容器の壁部材の内部に配設された第１の冷却手段に冷却媒体を供給する流路の上流側に該冷却媒体を冷却する第２の冷却手段を配設し、前記容器に収容された前記捕捉材の温度の上昇を抑制するように構成し、
固体の捕捉材を収容する容器は前記捕捉材に二酸化炭素含有ガスが流れる第１の容器と、前記捕捉材に水蒸気ガスが流れる第２の容器との複数個配設し、前記複数個配設された各容器の壁部材の内部に配設される第１の冷却手段を構成する冷却配管はパラレル状に配設された複数の水平配管を備えており、これらの複数の水平配管を備えた前記冷却配管が前記第１の容器と第２の容器に亘って共通した冷却配管として配設するように構成され、
前記複数の水平配管がそれぞれ流量調節手段を備えていることを特徴とする二酸化炭素回収システム。
【請求項５】
請求項１乃至請求項４のいずれか１項に記載した二酸化炭素回収システムにおいて、
固体の捕捉材を収容する前記容器の壁部材の内部に配設された前記第１の冷却手段を構成するパラレル状に配設された複数の水平配管にそれぞれ設置されており、該水平配管内を流通する冷却媒体の温度を検出する温度検出器と、前記水平配管内を流通する冷却媒体の流量を調節する流量調節器と、前記温度検出器で検出した冷却媒体の温度の検出値に基づいて前記容器内の温度分布を演算すると共に、この演算した温度分布が設定された所望の温度分布状況となるように前記流量調節器に対して冷却媒体の流量を調節する指令信号を出力する制御装置を設けていることを特徴とする二酸化炭素回収システム。
【請求項６】
請求項２又は請求項４に記載した二酸化炭素回収システムにおいて、
前記第１の容器に配設された第１の冷却手段を構成する共通した冷却配管を流れる冷却媒体が前記第１の容器に収容した前記二酸化炭素捕捉材を流れる二酸化炭素含有ガスから得た熱を、熱交換によって前記の共通した冷却配管を流れる冷却媒体を通じて前記第２の容器に収容した水蒸気ガスが流れる前記二酸化炭素捕捉材の加熱に用いるように構成されていることを特徴とする二酸化炭素回収システム。
【請求項７】
請求項１乃至請求項４のいずれか１項に記載した二酸化炭素回収システムにおいて、
前記容器に収容する固体の捕捉材に供給される前記二酸化炭素含有ガスは、０℃以上８０℃以下の二酸化炭素含有ガスであることを特徴とする二酸化炭素回収システム。
【請求項８】
請求項１乃至請求項４のいずれか１項に記載した二酸化炭素回収システムにおいて、
前記容器に収容する固体の捕捉材に供給される前記二酸化炭素含有ガスは、製鉄所又は火力発電所から排出される排ガスであることを特徴とする二酸化炭素回収システム。
【発明の詳細な説明】
【技術分野】
【０００１】
本発明は、二酸化炭素回収システムに関する。
【背景技術】
【０００２】
温室効果ガスの排出による地球温暖化の問題が広く認識されてきている。温室効果ガスとしては、二酸化炭素（ＣＯ２）、メタン（ＣＨ４）、フロン類（ＣＦＣｓ）等が挙げられるが、排出量が多く、実質的に影響が大きいものは二酸化炭素であり、その排出量の削減が緊急の課題となっている。
【０００３】
特開２００７−２８４２７２号公報には、二酸化炭素を含有する排ガスと二酸化炭素吸収液とを接触させて二酸化炭素を除去する吸収塔と、二酸化炭素を吸収したリッチ溶液を再生する再生塔と、前記再生塔で二酸化炭素が除去されたリーン溶液を吸収塔で再利用する二酸化炭素回収装置であって、前記吸収塔が、二酸化炭素吸収液で排ガス中の二酸化炭素を吸収する二酸化炭素回収部と、前記二酸化炭素回収部の上部側に設けられ、二酸化炭素を除去したガスを冷却すると共に、同伴する二酸化炭素吸収液を回収する水洗部と、前記水洗部で凝縮された二酸化炭素吸収液を含む凝縮水を、前記水洗部の頂部から直接循環する循環ラインと、前記再生塔から前記吸収塔へ前記リーン溶液を供給するリーン溶液供給管に、前記二酸化炭素吸収液を含む凝縮水の余剰分を供給する余剰凝縮水供給ラインとを具備する二酸化炭素回収装置が開示されている。
【０００４】
現在、前記特開２００７−２８４２７２号公報に記載された二酸化炭素吸収液による二酸化炭素の回収技術が利用され始めているが、二酸化炭素吸収液は吸収液再生時の液の揮発損失等の問題によりランニングコストが高い。
【０００５】
そこで、吸収液の揮発損失がないためランニングコストが比較的低い、固体の二酸化炭素捕捉材の開発（特開平５−１３１１１６号公報、特開２００４−２６１６７０号公報、特開２００１−７０７２６号公報、特開平８−４０７１５号公報）も進められている。
【０００６】
前記特開平５−１３１１１６号公報は、二酸化炭素または二酸化炭素含有ガスを約２０〜１００℃において遷移金属担持ゼオライトと接触させる二酸化炭素の捕捉方法が開示されている。
【０００７】
また、前記特開２００４−２６１６７０号公報は、二酸化炭素と水分を含有する排ガスを、シランカップリング剤を化学結合させた支持体と接触せしめ、二酸化炭素と選択的に捕捉させ、脱着する排ガスの処理方法が開示されているが、開示された固体状二酸化炭素捕捉材は二酸化炭素と化学反応して二酸化炭素の構造を大きく変えて化合物を生成するため、反応速度が遅く反応に時間を要する。
【０００８】
前記特開２００１−７０７２６号公報は、二酸化炭素または二酸化炭素含有ガスを約３００〜５００℃において酸化マグネシウムを主成分とした捕捉材と接触させる二酸化炭素捕捉方法が開示されている。
【０００９】
前記特開平８−４０７１５号公報は、水和物を含む炭酸カリウムを乾燥させて得る多孔質物質を捕捉材として、二酸化炭素を接触捕捉する捕捉材が開示されている。
【先行技術文献】
【特許文献】
【００１０】
【特許文献１】特開２００７−２８４２７２号公報
【特許文献２】特開平５−１３１１１６号公報
【特許文献３】特開２００４−２６１６７０号公報
【特許文献４】特開２００１−７０７２６号公報
【特許文献５】特開平８−４０７１５号公報
【発明の概要】
【発明が解決しようとする課題】
【００１１】
しかしながら、上記特開２００７−２８４２７２号公報、特開平５−１３１１１６号公報、特開２００４−２６１６７０号公報、特開２００１−７０７２６号公報、特開平８−４０７１５号公報に記載された技術は、いずれも固体の二酸化炭素補足材を利用する時の二酸化炭素補足反応の反応熱による温度上昇、及びこの温度上昇によって二酸化炭素補足材による二酸化炭素の補足量低下について全く考慮されていない。
【００１２】
本発明の目的は、固体の二酸化炭素捕捉材を用いた場合に、捕捉材及び捕捉材を内包する容器の温度上昇による二酸化炭素の捕捉量の低下を抑制して二酸化炭素回収システムの効率を向上する二酸化炭素回収システムを提供することにある。
【課題を解決するための手段】
【００１３】
本発明の二酸化炭素回収システムは、二酸化炭素を含有する二酸化炭素含有ガスから固体の二酸化炭素捕捉材を用いて二酸化炭素を捕捉分離する二酸化炭素回収システムにおいて、固体の捕捉材を収容する容器と、前記容器を形成する壁部材の内部に前記補足材を冷却する冷却媒体を流下する第１の冷却手段となる冷却配管を配設し、前記冷却配管に冷却媒体を流通させて前記容器に収容された前記捕捉材の温度の上昇を抑制するように構成したことを特徴とする。
【００１４】
また本発明の二酸化炭素回収システムは、二酸化炭素を含有する二酸化炭素含有ガスから固体の二酸化炭素捕捉材を用いて二酸化炭素を捕捉分離する二酸化炭素回収システムにおいて、
固体の捕捉材を収容する容器と、前記容器を形成する壁部材の内部に前記補足材を冷却する冷却媒体を流下する第１の冷却手段となる冷却配管を配設し、前記容器の壁部材の内部に配設された第１の冷却手段に冷却媒体を供給する流路の上流側に該冷却媒体を冷却する第２の冷却手段を配設し、前記容器に収容された前記捕捉材の温度の上昇を抑制するように構成したことを特徴とする。
【発明の効果】
【００１５】
本発明によれば、固体の二酸化炭素捕捉材を用いた場合に、捕捉材及び捕捉材を内包する容器の温度上昇による二酸化炭素の捕捉量の低下を抑制して二酸化炭素回収システムの効率を向上する二酸化炭素回収システムを実現することができる。
【図面の簡単な説明】
【００１６】
【図１】本発明の参考例１である二酸化炭素含有ガスから二酸化炭素を分離回収する二酸化炭素回収システムを示す概略構成図。
【図２】二酸化炭素捕捉材の温度分布の経時変化を表わした特性図。
【図３】図１に示した参考例１の二酸化炭素回収システムにおける二酸化炭素捕捉材を内包する容器を二酸化炭素含有ガス流通方向に対して平行に切った状況を示す部分断面図。
【図４】図１に示した参考例１の二酸化炭素回収システムにおける二酸化炭素捕捉材を内包する容器を二酸化炭素含有ガス流通方向に対して平行に切った状況を示す部分断面図。
【図５】本発明の第１実施例である二酸化炭素含有ガスから二酸化炭素を分離回収する二酸化炭素回収システムにおける二酸化炭素捕捉材を内包する容器を二酸化炭素含有ガス流通方向に対して平行に切った状況を示した部分断面図であり、容器内部の二酸化炭素捕捉材を冷却する冷却配管を流れる冷却媒体の流量を制御する制御装置の概略構成を併せて示した図。
【図６】本発明の第２実施例である二酸化炭素含有ガスから二酸化炭素を分離回収する二酸化炭素回収システムにおける二酸化炭素捕捉材を内包する容器を複数個設置しており、これらの容器を二酸化炭素含有ガス流通方向に対して平行に切った状況を示した部分断面図であり、容器内部の二酸化炭素捕捉材を冷却する冷却配管を流れる冷却媒体の流量を制御する制御装置の概略構成を併せて示した図。
【図７】本発明の参考例２である二酸化炭素含有ガスから二酸化炭素を分離回収する二酸化炭素回収システムを示す概略構成図。
【図８】二酸化炭素捕捉時の捕捉材の温度分布を計算する際に用いた諸条件を示す図。
【図９】それぞれの二酸化炭素捕捉反応熱における二酸化炭素捕捉材の最高温度を示す図。
【発明を実施するための形態】
【００１７】
本発明が対象としている固体の二酸化炭素捕捉材を利用した二酸化炭素回収システムは、二酸化炭素吸収液を利用した二酸化炭素回収システムで生じる吸収液の劣化という課題を解決できる方法であるため、固体の二酸化炭素捕捉材の開発が進められてきている。
【００１８】
一方、発明者らが鋭意検討を行った結果、固体の二酸化炭素捕捉材を利用した場合、二酸化炭素捕捉時の捕捉反応熱によって、捕捉材及び捕捉材を内包する容器の温度が過度に上昇し、捕捉量を減少させる可能性があることが分かった。
【００１９】
従って、二酸化炭素を捕捉する前の二酸化炭素含有ガスを予め冷却するか、二酸化炭素捕捉反応時に二酸化炭素捕捉材を内包する容器を適宜冷却することで、二酸化炭素捕捉反応熱による二酸化炭素捕捉量の減少を抑制することができる。
【００２０】
この二酸化炭素捕捉材を内包する容器を冷却する方法としては、容器の壁部材を直接冷却する方法や、容器の壁部材内に冷却配管を配設してこの冷却配管に冷却媒体を流通させて冷却する方法などがある。
【００２１】
二酸化炭素捕捉材を内包する容器に前記冷却配管を配設する配置方法は、二酸化炭素含有ガスの流通方向に沿って冷却配管を配置しても良いし、二酸化炭素含有ガスの流通方向の上流部から下流部にかけて幾つかの段階に分けて、各段階に冷却配管を配置しても良い。
【００２２】
また、二酸化炭素含有ガスから二酸化炭素を吸着・分離する固体の二酸化炭素捕捉材としては、例えば、シリカ、アルミナ、チタニア、ジルコニア、セリア、及びゼオライトなどの無機酸化物を用いても良いし、ＭＯＦｓ（Ｍｅｔａｌ−Ｏｒｇａｎｉｃ  Ｆｒａｍｅｗｏｒｋｓ）やＺＩＦｓ（Ｚｅｏｌｉｔｉｃ  Ｉｍｉｄａｚｏｌａｔｅ  Ｆｒａｍｅｗｏｒｋｓ）のような有機金属化合物や、炭酸アルカリ金属、炭酸水素アルカリ金属、炭酸アルカリ土類金属、又は炭酸水素アルカリ土類金属を用いても良く、又、これらを熱処理したものを用いても良い。
［参考例１］
【００２３】
本発明の参考例１である固体の二酸化炭素捕捉材を利用した二酸化炭素回収システムについて、図１乃至図４を用いて説明する。
【００２４】
図１に示した本発明の参考例１である固体の二酸化炭素捕捉材を利用した二酸化炭素回収システムにおいては、開閉バルブ４ａを備えた二酸化炭素含有ガス流路１を通じて供給される二酸化炭素を含有するガスから二酸化炭素を捕捉分離する固体の二酸化炭素捕捉材８を内包した容器５は、並列に４基設置されている。
【００２５】
前記固体の二酸化炭素捕捉材８としては、前記した様に、例えば、シリカ、アルミナ、チタニア、ジルコニア、セリア、及びゼオライトなどの無機酸化物を用いても良いし、ＭＯＦｓ（Ｍｅｔａｌ−Ｏｒｇａｎｉｃ  Ｆｒａｍｅｗｏｒｋｓ）やＺＩＦｓ（Ｚｅｏｌｉｔｉｃ  Ｉｍｉｄａｚｏｌａｔｅ  Ｆｒａｍｅｗｏｒｋｓ）のような有機金属化合物や、炭酸アルカリ金属、炭酸水素アルカリ金属、炭酸アルカリ土類金属、又は炭酸水素アルカリ土類金属を用いても良く、又、これらを熱処理したものを用いても良い。
【００２６】
前記４基設置された固体の二酸化炭素捕捉材８をそれぞれ内包した容器５には、開閉バルブ４ｂを備えた高純度二酸化炭素ガス流路２を通じて二酸化炭素ガスがそれぞれ供給され、同様に４基設置された前記容器５に開閉バルブ４ｃを備えた水蒸気ガス流路３を通じて水蒸気ガスがそれぞれ供給されている。
【００２７】
４基設置された固体の二酸化炭素捕捉材を内包する前記容器５はいずれも同じ機能を具備しており、二酸化炭素回収システムにおける二酸化炭素捕捉過程、二酸化炭素パージ過程、二酸化炭素脱離過程及び冷却過程の４つの過程が順に繰り返して実行される。
【００２８】
１つ目の二酸化炭素捕捉過程では、二酸化炭素含有ガス流路１を通じて供給する二酸化炭素含有ガスを、開閉バルブ４ａを操作して固体の二酸化炭素捕捉材８を内包する４基ある容器５のうち、１つの容器５のみに流通させ、二酸化炭素含有ガスに含まれた二酸化炭素を二酸化炭素捕捉材８によって捕捉する。そして二酸化炭素が除去された後のガスは開閉バルブ３５を操作して前記容器５の出口側に配設した二酸化炭素除去ガス流路６を通じて大気中に排出する。
【００２９】
２つ目の二酸化炭素パージ過程では、４基ある容器５のうち、二酸化炭素捕捉量が飽和した二酸化炭素捕捉材８を内包する容器５へ、開閉バルブ４ａを操作して二酸化炭素含有ガス流路１を通じて供給していた二酸化炭素含有ガスの流通を停止する。
【００３０】
次に、開閉バルブ４ｂを操作して、前記容器５内へ高純度二酸化炭素ガス流路２を通じて供給する二酸化炭素を流通させて二酸化炭素以外のガスを前記容器５からパージする。この時、前記容器５から排出されるガスは、開閉バルブ３５を操作して二酸化炭素除去ガス流路６を通じて大気中に排出する。
【００３１】
最後に、開閉バルブ４ｂ及び開閉バルブ３５をそれぞれ操作して、前記容器５内への二酸化炭素ガスの流通と前記容器５からの二酸化炭素除去ガスの排出をそれぞれ停止する。
【００３２】
３つ目の二酸化炭素脱離過程では、開閉バルブ４ｃを操作して、水蒸気ガス流路３を通じて前記容器５に水蒸気ガスを供給して該容器５を昇温する。
【００３３】
水蒸気ガス流路３を通じて水蒸気を前記容器５に流通させることによって、前記容器５に収容されている固体の二酸化炭素捕捉材８に捕捉している二酸化炭素を脱離させ、開閉バルブ３６を操作して前記容器５の出口に配設した二酸化炭素回収流路７を通じて二酸化炭素捕捉材８から脱離させ二酸化炭素を回収する。
【００３４】
４つ目の冷却過程では、固体の二酸化炭素補足材８及び前記二酸化炭素捕捉材８を内包する容器５を、冷却配管１１を通じて供給する冷却媒体によって冷却する。以上の４つの過程を、固体の二酸化炭素補足材８を内包する４基の容器５でそれぞれ繰り返すことで、二酸化炭素含有ガスに含まれた二酸化炭素を連続的に脱離させて回収するシステムとなり得る。
【００３５】
１基の容器５内に要求される固体の二酸化炭素捕捉材８の量は、1つ目の二酸化炭素捕捉過程における二酸化炭素含有ガスの流通時間と二酸化炭素含有ガスの流通量、及び二酸化炭素含有ガスの二酸化炭素濃度によって決定すれば良い。
【００３６】
二酸化炭素を含有するガスから二酸化炭素を捕捉分離する固体の二酸化炭素捕捉材を用いて二酸化炭素を回収する本参考例１の二酸化炭素回収システムは、二酸化炭素捕捉過程、二酸化炭素パージ過程、二酸化炭素脱離過程、及び冷却過程の４過程を１サイクルとして構成される。
【００３７】
１サイクルを１２０分、つまり１過程を３０分で運転すると仮定し、二酸化炭素捕捉時の捕捉材の温度分布を、図８に示す諸条件の下で、一次元熱流体として扱い計算した。なお、図８に記載した諸条件は１０００ＭＷ級の火力発電所の排ガスをモデルとしている。ただし、二酸化炭素捕捉材８を内包する容器５は断熱であると仮定した。
【００３８】
様々な二酸化炭素捕捉反応熱における二酸化炭素捕捉材の最高温度を図９に示した。また、二酸化炭素捕捉反応熱が１０ｋｃａｌ／ｍｏｌである二酸化炭素捕捉材を用いた場合の、二酸化炭素補足材温度分布の計算結果を図２に示した。
【００３９】
図９に示す通り、二酸化炭素回収システムの二酸化炭素捕捉材温度は、捕捉反応熱としては非常に低い１０ｋｃａｌ／ｍｏｌの二酸化炭素捕捉材を用いた場合であっても、捕捉材温度は１４７℃まで上昇することが判明した。
【００４０】
二酸化炭素捕捉温度を５０℃とする二酸化炭素捕捉材は、通常１２０〜１５０℃前後で二酸化炭素を脱離するように想定しているため、１４７℃までの温度上昇により、二酸化炭素捕捉材の二酸化炭素捕捉量は大きく低減することが予測出来る。
【００４１】
従って、二酸化炭素捕捉材による二酸化炭素捕捉量の低減に対処するためには本実施例である二酸化炭素回収システムに記載した様に、二酸化炭素回収システムに冷却手段を設置し、又は後述する本発明の参考例２である二酸化炭素回収システムに記載した様に、二酸化炭素回収システムに冷却手段を設置すると共に、この二酸化炭素回収システムの前段にも別の冷却手段を更に設置することが必須となる。
【００４２】
図２に示した二酸化炭素捕捉材の温度分布の経時変化を表わしたグラフから理解できるように、二酸化炭素捕捉材中に温度の高い部分と低い部分が生じることが分かる。例えば、二酸化炭素含有ガスを二酸化炭素捕捉材に２０分流通した後において、二酸化炭素捕捉材の位置であるガス流れの上流部では二酸化炭素の捕捉飽和に至ると捕捉反応熱が発生しないが、５０℃の二酸化炭素含有ガスは流通し続けているため前記二酸化炭素捕捉材は冷却される。
【００４３】
二酸化炭素捕捉材の位置であるガス流れの最下流部では、二酸化炭素捕捉反応が生じないため、反応熱が発生せず、二酸化炭素捕捉材の温度は低いままである。一方、二酸化炭素捕捉材の位置であるガス流れの上流部と下流部との間では、二酸化炭素捕捉材は二酸化炭素を捕捉して反応熱によって温度が上昇し、上流部より流通する二酸化炭素含有ガスの冷却効果も小さい。従って、前記二酸化炭素捕捉材中には温度分布が生じるので、適切な冷却手段を設置することによって前記二酸化炭素捕捉材を効率よく冷却することが可能となる。
次に本発明の参考例１である固体の二酸化炭素捕捉材を利用した二酸化炭素回収システムについて、更に詳細に説明する。
【００４４】
図１に示した本参考例１の二酸化炭素回収システムでは、並列に４基設置された前記容器５の内部には、固体の二酸化炭素捕捉材８がそれぞれ収容されており、容器５に供給された二酸化炭素含有ガスを、この固体の二酸化炭素捕捉材８によって補足するようになっている。
【００４５】
前記固体の二酸化炭素捕捉材８を収容した容器５は、図３の部分断面図に詳細に示されたように、前記容器５の壁部材９内部の内壁側で二酸化炭素捕捉材８の外周側に位置する領域には、冷却媒体を流通させる冷却配管１１が該容器５の周方向にスパイラル状に配設されており、前記容器５の壁部材９内部の前記冷却配管１１の外周側に位置する領域には、冷却媒体を流通させる別の冷却配管１０が該容器５の長手方向に沿って垂直状に複数本配設されている。
【００４６】
前記容器５には図１に示したように、二酸化炭素含有ガスを容器５に供給する開閉バルブ４ａを備えた二酸化炭素含有ガス流路１と、二酸化炭素以外のガスをパージするために高純度の二酸化炭素ガスを容器５に供給する開閉バルブ４ｂを備えた高純度二酸化炭素ガス流路２と、二酸化炭素捕捉材８に捕捉した二酸化炭素を脱離させるために容器５を昇温させる水蒸気を供給する開閉バルブ４ｃを備えた水蒸気ガス流路３とがそれぞれ配設されている。
【００４７】
前記容器５には、容器５内に設置された二酸化炭素捕捉材８によって捕捉され、二酸化炭素が除去された後のガスを該容器５から大気中に排出する、開閉バルブ３５を備えた二酸化炭素除去ガス流路６が配設されている。
【００４８】
また、前記二酸化炭素除去ガス流路６は、高純度二酸化炭素ガス流路２から供給された二酸化炭素を流通させて二酸化炭素以外のガスをパージする際に、前記容器５から二酸化炭素以外のガスを大気中に排出する流路としても使用される。
【００４９】
前記容器５には、水蒸気ガス流路３から供給された水蒸気による昇温によって、二酸化炭素捕捉材８で捕捉していた二酸化炭素を脱離させ、この離脱した二酸化炭素を回収する、開閉バルブ３６を備えた二酸化炭素回収流路７が配設されている。
【００５０】
図４は本参考例１の二酸化炭素回収システムにおける二酸化炭素捕捉材８を内包する容器５を、二酸化炭素含有ガスの流通方向に対して平行に切った部分断面図であり、複数の冷却配管１１が容器５及び容器壁部材９を貫通して配置して、これらの冷却配管１１を流れる冷却媒体を調節することによって容器５及び前記容器５に収容した二酸化炭素捕捉材８を効果的に冷却するものある。
【００５１】
二酸化炭素含有ガスから二酸化炭素を捕捉する二酸化炭素捕捉材８の温度が上昇した際に、二酸化炭素捕捉材８を内包する容器５及び容器５の壁部材９を貫通するように配置した前記冷却配管１１が、二酸化炭素含有ガス流れ方向の上流部から下流部にかけてパラレル状に複数に分かれて配設されており、パラレル状に配設されたこれら複数の冷却配管１１を流れる冷却媒体により、二酸化炭素含有ガスの流れ方向の上流部から下流部にかけて徐々に温度が上昇していく二酸化炭素捕捉材８の熱を抑制することが可能となる。
【００５２】
即ち、二酸化炭素含有ガスから二酸化炭素を捕捉する時、二酸化炭素捕捉材８の温度は二酸化炭素含有ガスの流れの上流部より二酸化炭素含有ガス流れの下流部にかけて、温度が上昇して下流部では所望値を超える温度分布となる可能性がある。
【００５３】
そこで、冷却配管を二酸化炭素含有ガス流れに沿って垂直状に設置した場合、二酸化炭素捕捉材８の下流部が低温の状態であるにも拘わらず、垂直状に設置した冷却配管を流れる冷却媒体は二酸化炭素捕捉材８の高温部から得た熱を下流側の二酸化炭素捕捉材８の低温部に伝熱して所望値を超える温度に加熱してしまう恐れがある。
【００５４】
そこで、本参考例１の二酸化炭素回収システムでは、二酸化炭素捕捉材８を内包する容器５及び容器５の壁部材９を貫通するように配置した前記冷却配管１１が、二酸化炭素含有ガスの流れ方向の上流部から下流部にかけてパラレル状に複数に分かれて配設させ、これらの冷却配管１１に冷却媒体を流下することにより、二酸化炭素含有ガスの流れの下流側に位置する二酸化炭素捕捉材８の温度上昇を抑制することが可能となる。
【００５５】
本参考例１によれば、固体の二酸化炭素捕捉材を用いた場合に、捕捉材及び捕捉材を内包する容器の温度上昇による二酸化炭素の捕捉量の低下を抑制して二酸化炭素回収システムの効率を向上する二酸化炭素回収システムを実現することができる。
【実施例１】
【００５６】
次に本発明の第１実施例である二酸化炭素回収システムについて図５を用いて説明する。
【００５７】
図５に示した本実施例の二酸化炭素回収システムは、図１乃至図４に示した参考例１の二酸化炭素回収システムと基本的な構成は共通しているので、両者に共通した説明は省略し、相違する部分について以下に説明する。
【００５８】
図５に示した本実施例の二酸化炭素回収システムにおいて、固体の二酸化炭素捕捉材８を内包する容器５及び前記容器５の壁部材９を貫通するように配置した前記冷却配管１１が、二酸化炭素含有ガス流れ方向の上流部から下流部にかけてパラレル状に複数に分かれて配設されており、パラレル状に配設されたこれら複数の冷却配管１１には該冷却配管１１を流れる冷却媒体の温度を検出する複数の温度検出器１７及び冷却配管１１を流れる冷却媒体の流量を調節する複数の流量調節器１８がそれぞれ設置されている。
【００５９】
更に前記温度検出器１７で検出された冷却配管１１を流れる冷却媒体の検出温度に基づいて二酸化炭素含有ガスの流れ方向の上流部から下流部にかけての任意位置における二酸化炭素捕捉材８の温度を所望の温度にそれぞれ調節するために、前記流量調節器１８に冷却配管１１を流れる冷却媒体の流量を調節する指令信号を演算して出力する制御装置１９が設置されている。
【００６０】
上記した本実施例の二酸化炭素回収システムでは、図５の右側に二酸化炭素捕捉材の位置と温度との関係を温度分布として示したように、二酸化炭素捕捉材８が二酸化炭素含有ガスから二酸化炭素を捕捉する際に二酸化炭素捕捉材８の一部の温度が上昇した場合に、二酸化炭素捕捉材８の温度は二酸化炭素含有ガスの流れの上流部と下流部との中間の位置で温度が上昇した高温部となる破線で示したような温度分布となる可能性が高い。
【００６１】
そこで、制御装置１９によって、固体の二酸化炭素捕捉材８を内包する容器５及び容器の壁部材９を貫通するよう配置したパラレル状に複数配設した冷却配管１１に流れる冷却媒体の流量を制御して、前記容器５に収納した二酸化炭素捕捉材８を冷却し該二酸化炭素捕捉材８の温度分布を所望の温度分布となるように調節する。
【００６２】
伝熱管となる前記冷却配管１１は二酸化炭素含有ガスの流れ方向の上流部から下流部にかけてパラレル状に複数配設されている。前記容器５に二酸化炭素含有ガスが流入して二酸化炭素捕捉材８の温度が上昇すると、複数の冷却配管１１にそれぞれ設置した温度検出器１７によって当該冷却配管１１が配設された近傍の位置の二酸化炭素捕捉材８の温度を検出して制御装置１９に入力する。
【００６３】
前記制御装置１９では、この温度検出器１７で検出した検出温度と、当該位置の二酸化炭素捕捉材８の所望の温度を設定した設定値と比較して、所望の温度にするために前記冷却配管１１に供給すべき冷却媒体の流量を演算し、冷却配管１１を流れる冷却媒体の流量を調節する指令信号を流量調節器１８に出力して該流量調節器１８を操作し、二酸化炭素捕捉材８の任意の位置の近辺の冷却配管１１を流れる冷却媒体の流量を調節することで、前記二酸化炭素捕捉材８の温度分布を、図５の右側に二酸化炭素捕捉材の位置と温度との関係を実線で最終的な温度分布として示したように、二酸化炭素捕捉材８の温度は二酸化炭素含有ガス流れの上流部より二酸化炭素含有ガス流れの下流部にかけて、高温部の無い実線で示したようなほぼ一様の温度分布を持つように制御する。
【００６４】
二酸化炭素捕捉材８の温度上昇の感知方法は、温度検出器１７の設置以外にも、テスト運転による経験的予測手段や熱流体シミュレーションによる温度予測手段によっても良い。
【００６５】
上記したような制御を行うことにより、二酸化炭素捕捉材８に生じる高温部の位置に対してその近傍に配設された冷却配管１１を流下する冷却媒体の流量だけを増加させて、二酸化炭素捕捉材８の温度をぼぼ均一な温度分布に調節することが可能となり、結果として二酸化炭素捕捉材８の温度調節に必要な前記冷却配管１１に供給する冷却媒体の総流量を減少させることが出来る。
【００６６】
上記したように、本実施例の二酸化炭素回収システムでは、二酸化炭素含有ガス流れ方向の上流部から下流部にかけてパラレル状に配設されたこれら複数の冷却配管１１を流れる冷却媒体の流量を調節することにより、二酸化炭素捕捉材８を効率的に冷却して前記二酸化炭素捕捉材８の温度をほぼ一様の温度分布にすることが可能にある。
【００６７】
本実施例によれば、固体の二酸化炭素捕捉材を用いた場合に、捕捉材及び捕捉材を内包する容器の温度上昇による二酸化炭素の捕捉量の低下を抑制して二酸化炭素回収システムの効率を向上する二酸化炭素回収システムを実現することができる。
【実施例２】
【００６８】
次に本発明の第２実施例である二酸化炭素回収システムについて図６を用いて説明する。
【００６９】
本実施例の二酸化炭素回収システムは、図５に示した第１実施例の二酸化炭素回収システムと基本的な構成は共通しているので、両者に共通した説明は省略し、相違する部分について以下に説明する。
【００７０】
図６に示した本実施例の二酸化炭素回収システムでは、二酸化炭素捕捉材を収容する容器として、二酸化炭素含有ガスが流れる容器５ａと、水蒸気ガスが流れる容器５ｂとを備えている。
【００７１】
即ち、二酸化炭素含有ガスが流れて二酸化炭素捕捉過程にある二酸化炭素捕捉材８ａを内包する容器５ａと、水蒸気ガスが流れて二酸化炭素昇温脱離過程にある二酸化炭素捕捉材８ｂを内包する容器５ｂとを備え、容器５ａ、５ｂの内部及びこれらの容器５ａ、５ｂの壁部材９ａ、９ｂを貫通し、これらの容器５ａ、５ｂに共通してパラレル状に複数個配設されて冷却媒体を流下させる冷却配管１１によって繋いだ構造を備えており、二酸化炭素含有ガス及び水蒸気ガスの流通方向に対して容器５ａ、５ｂを平行に切った断面図を示している。
【００７２】
図６に示した本実施例の二酸化炭素回収システムは、図５に示した第１実施例の二酸化炭素回収システムの場合と同様に、パラレル状に複数個配設された前記冷却配管１１に温度検出器１７及び流量調節器１８がそれぞれ設置され、前記温度検出器１７で検出した検出温度に基づいて前記流量調節器１８を操作し前記冷却配管１１を流下する冷却媒体の流量を調節する制御装置１９が設置された構成となっている。
【００７３】
本実施例の二酸化炭素回収システムでは、二酸化炭素含有ガスが流れる二酸化炭素捕捉過程にある容器５ａに収容された二酸化炭素捕捉材８ａの一部の温度が上昇した際に、二酸化炭素捕捉材８ａを内包する容器５ａ及び容器の壁部材９ａを貫通するように配置したパラレル状に複数配設した共通の冷却配管１１を流下する冷却媒体の流量を制御装置１９によって調節して冷却し前記二酸化炭素捕捉材８ａの温度分布を制御する。
【００７４】
そして二酸化炭素捕捉材８ａにおける捕捉反応熱によって、共通して配設された冷却配管１１を流れる冷却媒体が得た熱を、水蒸気ガスが流れる二酸化炭素昇温脱離過程にある容器５ｂに収容された二酸化炭素捕捉材８ｂへパラレル状に複数配設した共通の冷却配管１１を通じて流下する冷却媒体によって移動させることで、前記二酸化炭素捕捉材８ｂを加熱して昇温する。
【００７５】
水蒸気ガスが流れる二酸化炭素昇温脱離過程にある容器５ｂに収容された二酸化炭素捕捉材８ｂは、この共通した冷却配管１１を流下する熱を得た冷却媒体による加熱と、容器５ｂのガス流入口より流通させる水蒸気ガスによって、二酸化炭素捕捉材８ｂから二酸化炭素を速やかに脱離することができる。
【００７６】
尚、二酸化炭素含有ガスが流れて二酸化炭素捕捉過程にある容器５ａに収容された二酸化炭素捕捉材８ａと、水蒸気ガスが流れて二酸化炭素昇温脱離過程にある容器５ｂに収容された二酸化炭素捕捉材８ｂのそれぞれの温度分布の制御については、図５に示した第１実施例の二酸化炭素回収システムの場合と同様であり、パラレル状に複数個配設された共通した冷却配管１１に設置した前記温度検出器１７で検出した検出温度に基づいて制御装置１９により前記流量調節器１８を操作して前記冷却配管１１を流下する冷却媒体の流量を調節することで制御しているので、これらについての説明は省略する。
【００７７】
以上のように、二酸化炭素昇温脱離過程にあり加熱が必要な容器５ｂに収容された二酸化炭素捕捉材８ｂを、二酸化炭素捕捉過程にある容器５ａに収容された二酸化炭素捕捉材８ａで発生した二酸化炭素捕捉反応熱を利用して冷却媒体を介して加熱することができるので、二酸化炭素捕捉反応熱を有効に回収することが出来る。
【００７８】
本実施例によれば、固体の二酸化炭素捕捉材を用いた場合に、捕捉材及び捕捉材を内包する容器の温度上昇による二酸化炭素の捕捉量の低下を抑制して二酸化炭素回収システムの効率を向上する二酸化炭素回収システムを実現することができる。
［参考例２］
【００７９】
次に本発明の参考例２である二酸化炭素回収システムについて図７を用いて説明する。
【００８０】
図７に示した参考例２の二酸化炭素回収システムは、図１乃至図４に示した参考例１の二酸化炭素回収システムと基本的な構成は共通しているので、両者に共通した説明は省略し、相違する部分について以下に説明する。
【００８１】
図７に示した本参考例２の二酸化炭素回収システムにおいては、二酸化炭素回収システムの前段となる二酸化炭素含有ガス流路１の開閉バルブ４ａの上流側の位置に、二酸化炭素含有ガス流路１を流れる二酸化炭素含有ガスを冷却する冷却手段２６を備えたシステムである。
【００８２】
本参考例２の二酸化炭素回収システムでは、冷却手段２６によって固体の二酸化炭素捕捉材８を内包する容器５に供給する二酸化炭素含有ガスを冷却することにより、二酸化炭素含有ガスの二酸化炭素含有率が高い場合に、二酸化炭素以外の冷却対象ガス量が小さくできるため特に効率的である。
【００８３】
一般に、固体の二酸化炭素捕捉材８への二酸化炭素捕捉反応の活性化エネルギーが小さいものに関しては、低温である方が二酸化炭素をより多く捕捉する。従って、二酸化炭素回収システムの前段で二酸化炭素含有ガスを冷却しない場合と比べて、容器５に内包する固体の二酸化炭素捕捉材８の容量を低減することが可能となり、また、二酸化炭素捕捉材８の温度上昇も抑制することが可能となる。
【００８４】
本参考例２によれば、固体の二酸化炭素捕捉材を用いた場合に、捕捉材及び捕捉材を内包する容器の温度上昇による二酸化炭素の捕捉量の低下を抑制して二酸化炭素回収システムの効率を向上する二酸化炭素回収システムを実現することができる。
【産業上の利用可能性】
【００８５】
本発明は二酸化炭素を含む排ガスから二酸化炭素を捕捉分離して回収する二酸化炭素回収システムに適用可能である。
【符号の説明】
【００８６】
１：二酸化炭素含有ガス流路、２：高純度二酸化炭素ガス流路、３：水蒸気ガス流路、４ａ、４ｂ、４ｃ、３５、３６：開閉バルブ、５、５ａ、５ｂ：容器、６：二酸化炭素除去ガス流路、７：二酸化炭素回収流路、８、８ａ、８ｂ：二酸化炭素捕捉材、９：容器の壁部材、１０、１１：冷却配管、１７：温度検出器、１８：流量調節器、１９：制御装置、２６：冷却手段。
【図１】
0005579630.tif 000002
【図２】
0005579630.tif 000003
【図３】
0005579630.tif 000004
【図４】
0005579630.tif 000005
【図５】
0005579630.tif 000006
【図６】
0005579630.tif 000007
【図７】
0005579630.tif 000008
【図８】
0005579630.tif 000009
【図９】
0005579630.tif 000010